(57)【要約】【課題】チェーンがスプロケットから離脱することのない自動吸殻回収装置を提供すること。【解決手段】スプロケット２１−２は、背板２０の裏側に設けられたモータ（図示せず）に接続される。チェーン２３は、スプロケット２１−１、２１−２、２１−３、２１−４の外側に巻かれる。チェーン２３は、反時計回りに回転する。チェーン２３には、複数のへら２５が設けられる。へら２５は、ばね２７を介してチェーン２３に接続される。スプロケット２１−１は、ばね２９の作用により移動可能な板部３３の上に設けられる。板部３３の後部の背板２０には、直方形状の穴３５が設けられる。板部３３は、穴３５に沿って移動可能である。【選択図】  図２
2004305292.tif 000002
【特許請求の範囲】
【請求項１】
底部に溜まる吸殻を回収する自動吸殻回収装置であって、
複数のスプロケット間に取付けられたチェーンと、
前記スプロケットを回転させる駆動部と、
前記チェーンに設けられ、前記チェーンの移動とともに前記吸殻を移動させる清掃部と、
前記チェーンにほぼ一定の張力を与えるテンショナーと、を具備することを特徴とする自動吸殻回収装置。
【請求項２】
前記テンショナーは、前記複数のスプロケットのうち１つのスプロケットが移動可能であり、
当該スプロケットに前記チェーンから加わる力と対抗する力を加える手段から構成されることを特徴とする請求項１記載の自動吸殻回収装置。
【請求項３】
前記対抗する力を加える手段は、第１のばねであることを特徴とする請求項２記載の自動吸殻回収装置。
【請求項４】
前記チェーンは、レール上の走行部に接触しつつ走行し、
前記走行部は、低摩擦材からなることを特徴とする請求項１記載の自動吸殻回収装置。
【請求項５】
前記低摩擦材は、超高分子量ポリエチレン樹脂であることを特徴とする請求項４記載の自動吸殻回収装置。
【請求項６】
前記自動吸殻回収装置の前面は、開閉可能なカバーで覆われることを特徴とする請求項１記載の自動吸殻回収装置。
【請求項７】
前記清掃部は、へらまたはブラシであり、
前記へらまたはブラシは、前記チェーンに第２のばねを介して取付けられることを特徴とする請求項１記載の自動吸殻回収装置。
【発明の詳細な説明】
【０００１】
【発明の属する技術分野】
本発明は遊技場における自動吸殻回収装置に関するものである。
【０００２】
【従来の技術】
従来、例えばパチンコ遊技場等の遊技場において、遊技者が吸ったタバコの吸殻は、自動吸殻回収装置により自動的に回収される。自動吸殻回収装置とは、玉置台スペースに設けられた灰皿に捨てられた吸殻や灰等を、へらが取付けられたチェーンをモータ等で回転させることにより、自動的に台の端まで送り回収する装置である。自動吸殻回収装置を設置することにより、吸殻や灰等が完全に消化されるため、吸殻からの煙や匂い等が解消され、古い吸殻への燃え移り等が防止される。また、吸殻回収、灰皿清掃等の手間が省かれ、省労働力化も図られる。
（例えば特許文献１参照）
【０００３】
【特許文献１】
特開平６−１１４１５９号公報
【０００４】
【発明が解決しようとする課題】
しかしながら、従来の自動吸殻回収装置には、長期の使用によりチェーンにたるみが生じ、チェーンがスプロケットから離脱することがある、という問題点がある。
本発明は、このような問題点に鑑みてなされたものであり、その目的とするところは、チェーンがスプロケットから離脱することのない自動吸殻回収装置を提供することである。
【０００５】
【課題を解決するための手段】
前述した目的を達成するため、本発明は、底部に溜まる吸殻を回収する自動吸殻回収装置であって、複数のスプロケット間に取付けられたチェーンと、前記スプロケットを回転させる駆動部と、前記チェーンに設けられ、前記チェーンの移動とともに前記吸殻を移動させる清掃部と、前記チェーンにほぼ一定の張力を与えるテンショナーと、を具備することを特徴とする自動吸殻回収装置である。
ここで、吸殻とは、タバコの吸殻だけでなく、タバコの灰や遊技者が捨てるゴミくず等も含む概念である。
【０００６】
テンショナーは、複数のスプロケットのうち、１つのスプロケットが移動可能であり、そのスプロケットにチェーンから加わる力と、ばねによって対抗する力を加える手段から構成される。
チェーンは、レール上の超高分子量ポリエチレン樹脂製の低摩擦材からなる走行部に接触しつつ走行する。
自動吸殻回収装置の前面は、開閉可能なカバーで覆われる。
清掃部はへらまたはブラシであり、このへらまたはブラシは、ばねによってチェーンに取付けられる。
【０００７】
本発明では、テンショナーを設けることにより、長期間の使用によるチェーンのたるみを解消し、チェーンにほぼ一定の張力を与えることができる。
【０００８】
【発明の実施の形態】
以下、図面に基づいて本発明の実施の形態を詳細に説明する。以下の実施の形態では、パチンコ遊技機に取付けられる自動吸殻回収装置を例にして説明する。
ここで、パチンコ遊技機とは、パチンコ遊技を行うための装置である。
【０００９】
図１は、パチンコ遊技機１の構成概略図である。パチンコ遊技機１は、複数のパチンコ機３が横に接続されたものである。各パチンコ機３には、前面にパチンコ遊技を行う盤面５、各種の表示を行う表示器７、パチンコ球を操作するハンドル９等とがそれぞれ設けられる。遊技者は、盤面５上でパチンコ球を操作することによりパチンコ遊技を行う。
【００１０】
パチンコ遊技機１には、複数のパチンコ機３を載せる台１３が設けられ、台１３の上には天板１１が設けられる。複数のパチンコ機３は、天板１１の上部に横に並べて設置される。天板１１の前部は、通常パチンコ玉を入れる箱を置く玉置台として使用される。
【００１１】
天板１１には、パチンコ機３に向かって左端に、灰皿１７が埋め込まれるように設けられる。灰皿１７は、底部に複数個の穴が設けられ、灰皿１７に捨てた吸殻等は、天板１１の下部に設けられた吸殻回収装置１５の内部に落ちる。
【００１２】
吸殻回収装置１５は、天板１１の裏側に固定され、天板１１に設けられた灰皿１７から落ちた吸殻等を回収する。
【００１３】
吸殻回収装置１５の右端、すなわちパチンコ遊技機１の台１３の右端には、タンクケース１９が設けられる。タンクケース１９には、内部に吸殻等を回収する容器が収納されており、吸殻回収装置１５によって送られた吸殻等が集められ、回収される。
【００１４】
次に、吸殻回収装置１５の詳細な説明を行う。図２は、吸殻回収装置１５の構成概略図であり、図３は、吸殻回収装置１５のＸ−Ｘ断面図である。吸殻回収装置１５では、背板２０にカバー１８が開閉可能に設けられ、天板１１、カバー１８、背板２０等で構成される箱体の内部には、スプロケット２１、チェーン２３等が設けられる。
【００１５】
吸殻回収装置１５は、背板２０の前部に、レール２２−１、２２−２、スプロケット２１−１、２１−２、２１−３、２１−４等が設けられる。
天板１１には、穴６１が設けられ、穴６１には、灰皿１７が埋め込まれるように設けられる。
【００１６】
チェーン２３は、スプロケット２１−１、２１−２、２１−３、２１−４の外側に巻かれる。
【００１７】
スプロケット２１−２は、背板２０の裏側に設けられたモータ（図示せず）に接続される。モータ（図示せず）によってスプロケット２１−２が回転すると、チェーン２３が回転し、他のスプロケット２１−１、２１−３、２１−４も連動して回転する。
【００１８】
チェーン２３には、複数のへら２５が設けられる。へら２５は、灰皿１１から落ち、底部６３に溜まった吸殻等を吸殻回収装置１５内の右端に移動させるために設けられる。
【００１９】
図４は、へら２５部分の拡大図である。へら２５は、耐熱性ゴム等の素材からなり、カバー１８の底部６３および側部６５と密着するような形状を有する。これにより、底部６３へ落ちた吸殻等を、掻き残しなく移動することができる。
【００２０】
へら２５が取付けられるチェーン２３には、円柱状の軸７１−１、７１−２がチェーン２３に垂直に固定されて設けられる。軸７１−１には、ばね２７が巻き付けられ、軸７１−１の根元側のばね２７の端部は、軸７１−２まで伸ばされ、軸７１−２の根元部分に巻きつけられる。
【００２１】
ばね２７の他端は、へら２５の内部に埋め込まれるようにして固定される。
へら２５は、ばね２７を介してチェーン２３に取付けられることにより、底部５３および側部５５に密着させて移動させる際に、ばね２７が撓むので、へら２５自体の変形が防止される。
【００２２】
また、ばね２７は、端部が軸７１−２の根元に巻き付けられ固定されているため、ばね２７の軸７１−１からの抜け落ちが防止される。
【００２３】
吸殻回収装置１５には、開閉可能なカバー１８が設けられる。
カバー１８は、背板２０に、ヒンジ６９を介して開閉可能に設けられる。カバー１８は、底部６３と、斜め部６５と、前部６７とから構成される。
【００２４】
天板１１の下部には、板７０が天板１１の裏側に、天板１１と垂直に固定されて設けられる。板７０は、カバー１８の前部６７の裏側と接するように設けられる。カバー１８を閉じたとき、板７０の外側に被さることにより、カバー１８が閉じた状態で固定される。
【００２５】
カバー１８の前部６７の裏側と、板７０の前面とは、磁石等により固定されてもよい。
【００２６】
背板２０には、直方形のレール２２−１、２２−２が背板２０と垂直に固定されて設けられる。レール２２−１には、走行部５９−１が、またレール２２−２には、走行部５９−２がそれぞれ設けられる。チェーン２３は、走行部５９−１、５９−２に接触しつつ走行する。
【００２７】
走行部５９−１、５９−２は、超高分子量ポリエチレン樹脂製等である。走行部５９−１、５９−２に超高分子量ポリエチレン樹脂等を使用することにより、チェーン２３との接触による摩擦を軽減し、レール２２−１、２２−２の磨耗を減少させる効果が得られる。
【００２８】
図５は、スプロケット２１−１付近を拡大した図である。
スプロケット２１−１の軸（図示せず）は、板部３３にボルト５１とナット５３により固定される。スプロケット２１−１は、軸（図示せず）を中心に回転可能である。
【００２９】
板部３３の後部の背板２０には、直方形状の穴３５が設けられる。板部３３は、穴３５に沿って、Ａ、Ｂ方向に移動可能である。スプロケット２１−１は、板部３３に固定されているため、板部３３がＡ、Ｂ方向に移動するのに伴い、Ａ、Ｂ方向に移動する。
【００３０】
板部３３の端部には、金具３１−２が板部３３と垂直に固定されて設けられる。また、金具３１−１は、金具３１−２と平行になるように、背板２０に垂直に固定されて設けられる。金具３１−１には、穴４５が、また金具３１−２には、穴４７がそれぞれ設けられる。
【００３１】
穴４５、４７には、ボルト４１が挿入される。ボルト４１の先端は、金具３１−２を貫通し、ナット４３で固定される。ボルト４１は、穴４５を貫通しており、金具３１−１には固定されない。
【００３２】
金具３１−１と金具３１−２との間には、ボルト４１の周囲にばね２９が取付けられる。金具３１−２や金具３１−２が取付けられた板部３３、スプロケット２１−１等は、ばね２９の作用により常にＡ方向に付勢される。
【００３３】
スプロケット２１−１が設けられた板部３３には、ボルト４１が固定され、ボルト４１は、金具３１−１により背板２０に固定される。
そして、スプロケット２１−１および板部３３は、穴３５に沿って、Ａ、Ｂ方向に移動可能である。
【００３４】
図６は、スプロケット２１−１付近の側面図である。板部３３は、外板３４、３８及び中央板３６から構成される。板部３３は、外板３４と外板３８との間に中央板３６を挟んで固定される。板部３３のうち中央板３６は、穴３５の内部にくるように、また外板３４、３８は、穴３５の上下部分の背板２０を挟み込むように固定される。
【００３５】
板部３３の前面、すなわち外板３４の表面には、スプロケット２１−１が板部３３を貫通するボルト５１およびナット５３により、回転可能に取付けられる。
【００３６】
図５に示されるように、スプロケット２１−１、板部３３には、チェーン２３からＢ方向への力が加わり、またスプロケット２１−１、板部３３には、ばね２９からＡ方向への力が加わり、これらの力の釣り合った位置でスプロケット２１−１の位置が決まる。この状態で、チェーン２３には一定の張力が与えられる。
【００３７】
チェーン２３を長期間使用すると、チェーン２３がたるみ、チェーン２３からスプロケット２１−１、板部３３に加わるＢ方向の力が減少する。
【００３８】
この場合、ばね２９が伸長して、ばね２９からスプロケット２１−１、板部３３に加わる力が減少し、スプロケット２１−１、板部３３に加わるＡ、Ｂ方向の力が釣り合う。すなわち、スプロケット２１−１、板部３３は、Ａ方向に多少移動した位置となる。
【００３９】
図２において、スプロケット２１−１、２１−２、２１−３の下方には、タンクケース１９が設けられる。タンクケース１９の内部には、直方形状の蓋のない箱状の吸殻回収タンク３９が設けられる。
【００４０】
吸殻回収タンク３９は、チェーン２３に設けられたへら２５によって運ばれた吸殻や灰等を回収する。吸殻回収タンク３９には、内部に水が満たされており、火が完全に消えていない吸殻や灰等も安全に消火することができる。
【００４１】
吸殻回収装置１５には、好ましくはオイルパン３５が設けられる（図２参照）。オイルパン３５は、スプロケット２１−２の下部に設けられるのが好ましい。
オイルパン３５内には、潤滑油３７が満たされており、チェーン２３がオイルパン３５内を通過するときに潤滑油３７がチェーン２３に自動的に供給される。
【００４２】
チェーン２３に潤滑油３７が自動的に供給されることにより、チェーン２３及びスプロケット２１−１、２１−２、２１−３、２１−４の回転がスムーズになる。また、オイルパン３５が設けられ、自動的に潤滑油３７が供給されることにより、定期的に手動で潤滑油を供給する手間が省かれる。
【００４３】
図７は、吸殻回収装置１５のカバー１８が開いた図であり、図８は、図７のＹ−Ｙ断面図である。吸殻回収装置１５の左端には、側板７３が背板２０に垂直に設けられる。また、吸殻回収装置１５の右端に設けられたタンクケース１９の前面には、扉７５が設けられる。
【００４４】
カバー１８は、ヒンジ６９を介して背板２０と接続され、ヒンジ６９を中心に回転して開閉する。カバー１８が開閉可能であることにより、吸殻回収装置１５の内部に落ちた吸殻等による汚れが清掃しやすくなり、チェーン２３等のメンテナンスや交換等の作業がしやすくなる。
【００４５】
次に、図２を参照しながら、吸殻回収装置１５の動作について説明する。
遊技者は、天板１１に設けられた灰皿１７に、タバコの吸殻、灰、ゴミくず等を捨てる。灰皿１７の底部には、穴が開いており、灰皿１７に捨てられた吸殻等は、灰皿１７に設けられた穴を通じて吸殻回収装置１５の内部、すなわち、吸殻回収装置１５のカバー１８の底部６３（図３参照）の上に落ちる。
【００４６】
吸殻回収装置１５の内部では、スプロケット２１−２の裏側に設けられたモータ（図示せず）が回転することにより、チェーン２３が反時計回りに回転する。
チェーン２３が回転することにより、スプロケット２１−１、２１−３、２１−４も連動して回転する。
【００４７】
底部６３に溜まった吸殻等は、チェーン２３に設けられたへら２５に押されて底部６３上を右側に移動する。
【００４８】
へら２５に押されて移動した吸殻等は、底部６３の右端までくると、タンクケース１９内に設けられた吸殻回収タンク３９の中に落ちる。吸殻回収タンク３９には、水が満たされており、運ばれてきた吸殻等に火がついている場合にも、安全に消火することができる。
【００４９】
従業員は、例えば営業時間終了後等に、タンクケース１９に設けられた扉７５（図７参照）を開けて、吸殻回収タンク３９に貯められた吸殻や灰等を回収する。
【００５０】
次に、図５を参照しながら、吸殻回収装置１５のスプロケット２１−１付近の動作について説明する。
チェーン２３は、長期間使用しているとたるみが生る。
【００５１】
スプロケット２１−１が固定された板部３３は、ばね２９の作用により、常にＡ方向に付勢されている。このため、チェーン２３にたるみが生じたとき、スプロケット２１−１が固定された板部３３は、前述したようにＡ方向に、穴３５に沿って移動する。
【００５２】
スプロケット２１−１は、チェーン２３にたるみが生じると自動的にＡ方向に移動するので、チェーン２３のたるみが解消され、チェーン２３には、ほぼ一定の張力が与えられる。このため、定期的なメンテナンスによりスプロケットの位置等の調整をする必要がなく、メンテナンス作業等の軽減が図られる。
【００５３】
尚、本実施の形態の技術的範囲は、前述した実施の形態に限られるものではなく、種々の改変が可能であり、改変されたものも本発明の技術的範囲に含まれる。
【００５４】
例えば、前述した吸殻回収装置１５では、スプロケット２１−１にオートテンショナーの機能を持たせているが、スプロケット２１−２やスプロケット２１−３等にその機能を持たせてもよい。
【００５５】
また、図５に示すように、板部３３は、穴３５に沿ってＡ、Ｂ方向に移動するが、背板２０の上をスライドさせるものとすることもできる。
また、へら２５の代わりに、チェーン２３にブラシ等を取付けてもよい。
【００５６】
更に、この吸殻回収装置１５は、パチンコ遊技機だけでなく、例えばスロットマシン機等への適用が可能である。
【００５７】
【発明の効果】
以上詳細に説明したように本発明によれば、チェーンがスプロケットから離脱することのない自動吸殻回収装置を提供することが出来る。
【図面の簡単な説明】
【図１】パチンコ遊技機１の概要を示す図
【図２】吸殻回収装置１５の概要を示す図
【図３】図２における吸殻回収装置１５のＸ−Ｘ断面図
【図４】へら２５付近の拡大図
【図５】スプロケット２１−１付近の拡大図
【図６】スプロケット２１−１付近の側面図
【図７】カバー１８が開いた状態のパチンコ遊技機１を示す図
【図８】図７におけるＹ−Ｙ断面図
【符号の説明】
１・・・・パチンコ遊技機
３・・・・パチンコ機
５・・・・盤面
７・・・・表示器
９・・・・ハンドル
１１・・・天板
１３・・・台
１５・・・吸殻回収装置
１７・・・灰皿
１９・・・タンクケース
【図１】
2004305292.tif 000003
【図２】
2004305292.tif 000004
【図３】
2004305292.tif 000005
【図４】
2004305292.tif 000006
【図５】
2004305292.tif 000007
【図６】
2004305292.tif 000008
【図７】
2004305292.tif 000009
【図８】
2004305292.tif 000010